(57)【要約】【課題】体液などの吸収対象の液体が吸収性物品の前後方向に設けられた溝に沿って高速に流動することを抑制することにより、吸収体の全体で効率よく吸収可能な高品質の吸収性物品を提供すること。【解決手段】体液を吸収する吸収体１１と、吸収体の表面（肌当接）側に位置して体液を透過可能なトップシート１３と、吸収体のトップシートの背面（肌非当接）側に位置して体液を不透過なバックシート１４と、を備える使い捨ておむつ１０であって、着用時の吸収体の肌当接側で長手方向に延在する曲げ溝Ｄ１の形成位置に圧搾成形による成形溝Ｄ２が形成されるとともに、当該成形溝の底面Ｄ２ｂ側から浮き上がって膨らむことで当該成形溝を横断すると凸形状の横断部ＣＲがトップシートによって形成される。【選択図】図４
2020014663.tif 000002
【特許請求の範囲】
【請求項１】
液体を吸収する吸収体と、前記吸収体の肌当接側に位置して前記液体を透過可能なトップシートと、前記吸収体の肌非当接側に位置して前記液体を不透過なバックシートと、を備える吸収性物品であって、
前記吸収体の肌当接側に、一方向に延在する凹部が形成されており、
前記凹部には底面側から膨らんで当該凹部を横断する横断部が形成されることを特徴とする吸収性物品。
【請求項２】
前記トップシートは１枚で構成されて、前記横断部は当該トップシートにより形成されることを特徴とする請求項１に記載の吸収性物品。
【請求項３】
前記横断部は、前記凹部の底面側から０．５ｍｍ以上の高さの凸形状に形成されることを特徴とする請求項１または請求項２に記載の吸収性物品。
【請求項４】
前記横断部は、前記凹部の縁から突出する高さが３．０ｍｍ以下に抑えられている凸形状に形成されることを特徴とする請求項１から請求項３のいずれか１項に記載の吸収性物品。
【請求項５】
前記横断部は、前記凹部の２箇所以上に形成されていることを特徴とする請求項１から請求項４のいずれか１項に記載の吸収性物品。
【請求項６】
前記横断部は、前記凹部の底面側から４５度以上で上昇する斜面を有するように形成されていることを特徴とする請求項１から請求項５のいずれか１項に記載の吸収性物品。
【請求項７】
前記トップシートは、少なくとも前記凹部の延在する前記一方向に断続する接合範囲で前記吸収体の肌当接側に接合されて、
前記横断部は、前記トップシートの前記接合範囲間の非接合範囲が前記吸収体側から離隔する方向に膨らんで形成されることを特徴とする請求項１から請求項６のいずれか１項に記載の吸収性物品。
【請求項８】
前記横断部は、前記凹部の延在する前記一方向に対して直交または斜交して当該凹部を横断することを特徴とする請求項１から請求項７のいずれか１項に記載の吸収性物品。
【請求項９】
前記横断部は、前記液体を流動させて向かわせる方向に、前記凹部の延在する前記一方向に対して傾斜していることを特徴とする請求項８に記載の吸収性物品。
【請求項１０】
前記凹部は、前記吸収体の肌当接側から肌非当接側への窪み形状あるいは貫通形状により形成されて、底面および両側面が前記トップシートにより覆われており、
前記横断部は、前記トップシートの一部が前記凹部の底面側から肌当接側に膨らんで横断する凸形状に形成されることを特徴とする請求項１から請求項９のいずれか１項に記載の吸収性物品。
【請求項１１】
前記横断部は、前記一方向の少なくとも一方の片側端部側の高さが、当該一方向の両端部間の中間部分の高さより高くなることを特徴とする、請求項１から請求項１０のいずれか１項に記載の吸収性物品。
【請求項１２】
前記横断部は、前記一方向の少なくとも一方の片側端部側の幅が、当該一方向の両端部間の中間部分の幅より広くなることを特徴とする、請求項１から請求項１１のいずれか１項に記載の吸収性物品。
【発明の詳細な説明】
【技術分野】
【０００１】
本発明は、例えば、紙おむつ等に用いられる吸収性物品に関する。
【背景技術】
【０００２】
排出された体液を吸収体に誘導して吸収させる使い捨ておむつ（所謂、紙おむつ）等の吸収性物品では、その吸収体が直接肌に触れないようにするために、トップシートを介在させる構造が採用されている。この吸収性物品の吸収体は、主にパルプと高吸水性樹脂（Super Absorbent Polymer、以下「ＳＡＰ」とも言う）とから構成されて、ティシュや不織布等の被覆部材によって包まれている（例えば、特許文献１を参照）。
【先行技術文献】
【特許文献】
【０００３】
【特許文献１】特開２０１７−２９５９７号公報
【発明の概要】
【発明が解決しようとする課題】
【０００４】
しかしながら、この紙おむつのような吸収性物品にあっては、吸収容量を確保しつつ、体にフィットするために、ある程度の幅を有する形態に作製されて、股間等の限られたスペース内に位置する状態で着用される。すると、着用時に、本来の幅よりも狭くされる際に、折れ曲がって窪むことにより長手方向に連続する溝が形成される。この着用時に、吸収すべき体液が高速に低位（溝）に向かって流してしまい、溝が体液の流路として機能することにより、体液を吸収体の決まった範囲に集中的に吸収させてしまう。また、この体液が吸収性物品の長手方向の両端部から漏れてしまうことがある。
【０００５】
この吸収性物品は、本来、吸収体の全面に渡って均等に体液を吸収させることにより、十分な体液の吸収と快適な感触を高品質に維持することが理想である。しかし、吸収体での体液の吸収範囲が集中してしまうと、吸収量が不十分になったり、該当箇所に体液が溜まっている感触が早期に発生してしまい、不快に感じさせてしまう。
【０００６】
そこで、本発明は、体液などの吸収対象の液体が吸収性物品の前後方向に設けられた溝に沿って高速に流動することを抑制することにより、吸収体の全体で効率よく吸収可能な高品質の吸収性物品を提供することを目的としている。
【課題を解決するための手段】
【０００７】
上記課題を解決する吸収性物品の発明の一態様は、液体を吸収する吸収体と、前記吸収体の肌当接側に位置して前記液体を透過可能なトップシートと、前記吸収体の肌非当接側に位置して前記液体を不透過なバックシートと、を備える吸収性物品であって、前記吸収体の肌当接側または肌非当接側の少なくとも一方に、一方向に延在する凹部が形成されており、前記凹部には底面側から膨らんで当該凹部を横断する横断部が形成されることを特徴とするものである。
【発明の効果】
【０００８】
このように本発明の一態様によれば、凹部の底面から膨らんで横断する横断部が形成されるので、その凹部内を伝って流れる液体が障害なくスムーズに流れて高速に流動することを制限することができ、その液体を横断部の周囲で吸収させつつ、その横断部に沿って流すことができる。
【０００９】
したがって、吸収体の特定箇所で集中して吸収させてしまうことを回避することができ、吸収する範囲を広げて吸収体の全体で効率よく吸収する高品質な吸収性物品を提供することができる。
【図面の簡単な説明】
【００１０】
【図１】図１は、本発明の一実施形態に係る吸収性物品の一例である使い捨ておむつを示す図であり、その外観を示す斜視図である。
【図２】図２は、使い捨ておむつの構成物品を説明する分解斜視図である。
【図３】図３は、使い捨ておむつの展開構造を示す一部切り欠き平面図である。
【図４】図４は、使い捨ておむつの構造を示す、未着用時での吸収体の長手方向の横断面であり、（ａ）は図３のＩＶａ−ＩＶａ横断面図、（ｂ）は図３のＩＶｂ−ＩＶｂ横断面図である。
【図５】図５は、使い捨ておむつの着用状態を示す、その吸収体の長手方向の図３のＩＶａ−ＩＶａにおける一部横断面図である。
【図６】図６は、使い捨ておむつの構造を示す、着用時での吸収体の長手方向の図３のＶＩ−ＶＩ縦断面図である。
【図７】図７は、成形溝を横断する横断部の高さを説明する一部拡大横断面図である。
【図８】図８は、第１の他の態様を示す図であり、成形溝を横断する横断部の傾斜（斜交）を説明する一部拡大平面図である。
【図９】図９は、第２の他の態様を示す図であり、成形溝内に進入するトップシートの構成を説明する一部拡大横断面図である。
【図１０】図１０は、第３の他の態様を示す図であり、成形溝の側壁の傾斜面の他の形態を示す模式図である。
【発明を実施するための形態】
【００１１】
以下、図面を参照して、本発明の実施形態について詳細に説明する。図１〜図７は本発明の一実施形態に係る吸収性物品を説明する図である。
【００１２】
図１に示すように、使い捨ておむつ１０は、平板状の吸収体１１をカバーシート１８内に内包する状態で着用する吸収性物品として作製されている。使い捨ておむつ１０は、所謂、展開型構造に作製されており、股間を通して腹側の前身頃１０Ｆのフロントパッチシート２１に背側の後身頃１０Ｒの側辺側左右一対のファスニングテープ２２を繰り返し剥離自在に接着することで着用する構造に作製されている。この使い捨ておむつ１０は、前身頃１０Ｆおよび後身頃１０Ｒの端辺１０Ｆｅ、１０Ｒｅ側で胴回り部を囲んで、その前身頃１０Ｆおよび後身頃１０Ｒを繋ぐ中間部１０Ｍの左右両側辺１０Ｍｓ側に左右脚部を囲む状態で着用される。この状態では、胴回り部は前身頃１０Ｆおよび後身頃１０Ｒの端辺１０Ｆｅ、１０Ｒｅに囲まれる開口１０Ｗ内に位置して、左右脚部は前身頃１０Ｆおよび後身頃１０Ｒを繋ぐの中間部１０Ｍの左右両側辺１０Ｍｓに囲まれる開口１０Ｌｒ、１０Ｌｌ内に位置する。
【００１３】
図２〜図４に示すように、使い捨ておむつ１０は、吸収体１１を１枚のトップシート（表面シート）１３と１枚のバックシート（裏面シート）１４との間に挟み込んでカバーシート１８内に位置させる積層構造に作製されており、トップシート１３には、左右一対のサイドシート１５が設けられている。
【００１４】
吸収体１１は、主にパルプとＳＡＰ（Super Absorbent Polymer）とからなる吸収性本体１１ｈを、ティシュや不織布等のコアラップ（被覆部材）１２により包んでマット状に作製されている。
【００１５】
トップシート１３は、吸収体１１の表面の肌当接側に位置して液透過性を有するシート部材により作製されており、サイドシート１５の間で肌に触れる状態で着用されて、吸収体１１で吸収する体液を抵抗少なく透過させる。このトップシート１３は、バックシート１４と共にカバーシート１８に接合されており、そのバックシート１４との間に保持するように吸収体１１が設置されている。これらトップシート１３、バックシート１４、カバーシート１８は、特に周縁が相対移動不能に接合されて使い捨ておむつ１０の形状を維持しつつ吸収体１１を図１に破線で図示する最適領域に位置するように保持している。
【００１６】
バックシート１４は、吸収体１１の裏面（トップシート１３に対する背面）の肌非当接側に位置して液不透過性を有するシート部材により作製されており、吸収体１１とカバーシート１８との間に位置してトップシート１３を透過する体液のカバーシート１８側への液漏れを防止する。このバックシート１４は、後身頃１０Ｒ側の端辺１０Ｒｅ側近傍に平行な弾性シート２５が配置されて、開口１０Ｗ内に位置する胴回り部に密接する方向に縮小することによって、肌との間の隙間をなくしつつ適度な着用感を感じさせるようになっている。
【００１７】
カバーシート１８は、バックシート１４よりも外側に位置して薄い不織布からなるシート部材により作製されており、良好な手触りを実現しつつ、目に触れるために必要に応じて装飾が付与されている。このカバーシート１８は、長手方向Ｄｅの両側辺１８ｓに、前身頃１０Ｆおよび後身頃１０Ｒを繋ぐ中間部１０Ｍの左右両側辺１０Ｍｓに形成される開口１０Ｌｒ、１０Ｌｌ内に位置する左右脚部に沿うように切り欠き形状１８ｎが形成されている。このカバーシート１８は、その左右両側辺１８ｓに形成される切り欠き形状１８ｎと平行な糸ゴム２７がそれぞれ伸張状態で埋設されることにより、開口１０Ｌｒ、１０Ｌｌ内の左右両脚部に適度な着用感を感じさせるように作製されている。
【００１８】
また、トップシート１３に設けられている左右一対のサイドシート１５は、疎水性のシート部材により作製されており、カバーシート１８と同様に、開口１０Ｌｒ、１０Ｌｌ内の左右脚部に沿うように切り欠き形状１５ｎがそれぞれに形成されて、吸収体１１の側辺１１ｓと平行姿勢になるようにトップシート１３に設置されている。また、サイドシート１５は、その切り欠き形状１５ｎの対辺側の基端辺１５ｂ側に平行な糸ゴム２８がそれぞれ伸張状態で埋設されてギャザー形状に形成されることにより、開口１０Ｌｒ、１０Ｌｌ内の左右両脚部に横漏れを防止しつつ適度な着用感を感じさせるように作製されている。
【００１９】
ここで、この使い捨ておむつ１０は、左右脚部の間の股間に通され吸収体１１を変形させて着用されることになり、図５に示すように、その着用時の吸収体１１には、折れ曲がることにより、トップシート１３側が折れ曲がって窪み形状が長手方向（一方向）Ｄｅに連続するように延長されている曲げ溝Ｄ１が凹部として形成される。なお、使い捨ておむつ１０は、着用時に抵抗なく曲げ溝Ｄ１が形成される吸収体１１を採用することにより、着用感を損なうことを回避するようにしている。すると、体液は、トップシート１３を透過して吸収体１１に吸収される前に、その曲げ溝Ｄ１内に流れ込んで低位置に向かって流れるという現象も発生していることが推測される。
【００２０】
その一方で、使い捨ておむつ１０は、表面（肌当接）側に位置するトップシート１３に液透過性を持たせて、着用時の肌触りと共に吸収体１１による液吸収品質を確保する必要がある。にも拘わらずに、吸収体１１に曲げ溝Ｄ１が形成されてしまうと、その曲げ溝Ｄ１内に流れ込む体液は広がって吸収体１１に吸収されるよりも低位置に流れてしまい、吸収体１１の広い領域に吸収させることが難しく、偏った位置（溝）に集まって溝に沿って吸収されてしまうことになる。
【００２１】
この課題を解消すべく、本実施形態の使い捨ておむつ１０は、図２〜図４、特に未着用時の状態を図４に示すように、例えば、吸収体１１が左右脚部（開口１０Ｌｒ、１０Ｌｌ）間の幅方向の２箇所に曲げ溝Ｄ１が形成される傾向にあることから、その該当箇所に一致して長手方向Ｄｅに延在する成形溝Ｄ２が形成されている。
【００２２】
図４（ａ）は図３のＩＶａ−ＩＶａ断面を示している。その図４（ａ）に示すように、この吸収体１１は、その折れ曲がり箇所（曲げ溝Ｄ１）に対応する長手方向Ｄｅの該当箇所をコアラップ１２と共に圧搾成形されることにより成形溝Ｄ２が形成されており、その吸収体１１のコアラップ１２のさらに表面側に位置するトップシート１３が成形溝Ｄ２内に進入されて後述の接合範囲ＪＳ毎に断続的に接着されることにより接合されている。
【００２３】
これに対して、図４（ｂ）に図示するように、図３のＩＶｂ−ＩＶｂ断面では、後述の非接合範囲ＪＵとして説明するように、成形溝Ｄ２の形成されている吸収体１１のコアラップ１２にトップシート１３が接合されずに浮いた状態になり得る。
【００２４】
具体的には、使い捨ておむつ１０の着用時の状態を図５および図６に図示している。図５は図３のＩＶａ−ＩＶａにおける一部横断面図であり、図６は図３のＶ−Ｖ縦断面図である。これら図５および図６に示すように、トップシート１３は、吸収体１１の長手方向（一方向）Ｄｅに断続する接合範囲ＪＳで成形溝Ｄ２内に接着されており、その接合範囲ＪＳの間の少なくとも２箇所以上の非接合範囲ＪＵでは、成形溝Ｄ２の底面Ｄ２ｂに接着することなく、底面Ｄ２ｂ側から離隔方向に膨らんで、その成形溝Ｄ２を横断する形態で残って横断部ＣＲとして機能する。この吸収体１１のコアラップ１２とトップシート１３との接合範囲ＪＳは、成形溝Ｄ２の両側方向（幅方向）の所定領域程度まで接着すればよく、本実施形態では、非接合範囲ＪＵの横断部ＣＲはその成形溝Ｄ２に対して直交する形態で形成される。なお、吸収体１１のコアラップ１２とトップシート１３との接合範囲ＪＳは接着剤で接着することによって肌触りが劣化することのないように、その接着剤を複数個所に点状に分散塗布して接着すればよい。
【００２５】
このことから、使い捨ておむつ１０の着用時には、吸収体１１と共にトップシート１３の接合範囲ＪＳが成形溝Ｄ２内に位置して曲げ溝Ｄ１として窪んでおり、トップシート１３の非接合範囲ＪＵでは、その成形溝Ｄ２（曲げ溝Ｄ１）の底面Ｄ２ｂから浮いた（膨らんだ）状態で形成される。非接合範囲ＪＵでは、体液の流れを堰き止めるためにトップシート１３は少なくとも０．５ｍｍ以上の高さの凸形状の横断部ＣＲが形成されることが好ましい。この凸形状の横断部ＣＲは、吸収体１１の体液吸収後の肌触りの悪化を抑えるように、成形溝Ｄ２（曲げ溝Ｄ１）の縁（成形溝Ｄ２外のトップシート１３の表面）からの突出高さを３ｍｍ以内に抑えるのが好ましい。
【００２６】
また、横断部ＣＲは、成形溝Ｄ２の底面Ｄ２ｂに対し４５度以上で上昇する形状になるのが好ましい。横断部ＣＲは、その底面Ｄ２ｂから６０度以上で上昇する斜面となる形状になるのがより好ましい。この横断部ＣＲは、成形溝Ｄ２（曲げ溝Ｄ１）の少なくとも２箇所以上に（言い換えると、２つ以上を）、特に、体液の流れる範囲に形成して、後述するように、その流れる体液を効果的に堰き止めて流れる方向を変えるように機能させることが好ましく、その形成数は適宜に設定すればよい。
【００２７】
このとき、着用時の使い捨ておむつ１０の中間部１０Ｍでは、肌非当接のバックシート１４側の吸収体１１の裏面側よりも肌当接側の吸収体１１の表面側が小さく湾曲することになって、非接合範囲ＪＵのトップシート１３がより確実に余って撓んだ（膨らんだ）状態の凸形状になり、成形溝Ｄ２の延在方向に対して直交する方向に横断する横断部ＣＲが形成される。なお、トップシート１３は、長手方向Ｄｅに伸張状態で吸収体１１（コアラップ１２）に接着させることにより、非接合範囲ＪＵが積極的に縮小して成形溝Ｄ２の底面Ｄ２ｂから離隔して横断部ＣＲを形成するようにしてもよい。
【００２８】
ここで、横断部ＣＲの形状は、上述するように、着用時に変形し、また、トップシート１３の非接合範囲ＪＵで均一形状に変形する訳ではなく、トップシート１３の成形溝Ｄ２の外側表面でも変形する。このことから、例えば、横断部ＣＲの上述の斜面角度は、必ずしも成形溝Ｄ２の底面Ｄ２ｂのみからの上昇に限るものではなく、トップシート１３の表面（凹部）を流れる体液を堰き止めるように、その成形溝Ｄ２の外側にも波及して上昇するトップシート１３の表面（凹部の底面）の斜面角度も含むものである。また、本願発明は、上述の通りトップシート１３の表面（凹部）を流れる体液を堰き止めるように横断部ＣＲが設けらればよく、溝の内側についても接着領域が必ずしも吸収体と接合していなくてもよい。この場合の横断部ＣＲの上昇角度は、横断面ＣＲの底面部側に対する角度となる。
【００２９】
これにより、使い捨ておむつ１０の着用時には、吸収体１１の長手方向Ｄｅに延在する曲げ溝Ｄ１（成形溝Ｄ２）の複数個所に横断部ＣＲが形成されて、その曲げ溝Ｄ１が断続する状態にある。このため、使い捨ておむつ１０の着用時に曲げ溝Ｄ１内を低位に向かって流れようとする体液は、その横断部ＣＲに突き当たって流動速度が抑制されて、その成形溝Ｄ２（曲げ溝Ｄ１）の側壁Ｄ２ｓ側に浸透されるようにして吸収体１１の幅方向に広がり、吸収体１１の全体に吸収されるように分散される。
【００３０】
なお、図７に示すように、この横断部ＣＲの成形溝Ｄ２の底面Ｄ２ｂからの高さＨは、上述のように、吸収体１１（コアラップ１２）の表面１１ａにまで達していない高さＨａでも（図７（ａ））、また、その表面１１ａと同程度の高さＨｂでも（図７（ｂ））、あるいは、表面１１ａよりも浮き上がる高さＨｃでも（図７（ｃ））、曲げ溝Ｄ１内を低位に向かって流れる体液の流動速度を効果的に抑制することができる。また、この横断部ＣＲは、成形溝Ｄ２の溝の中間から形成されているが、成形溝Ｄ２の底部Ｄ２ｂや上端部分から形成されてもよい。さらに、横断部ＣＲの頭頂部については山形や平坦に形成されているが、後述する図１０に示すような傾斜状でもよく、また、断面波型に形成されてもよい。
【００３１】
ここで、上述の横断部ＣＲの高さは組み合わせてもよく、例えば、使い捨てオムツ１０の片側端部の背側の後身頃１０Ｒまたは腹側の前身頃１０Ｆの少なくとも一方の横断部ＣＲは、股下部分の中間部１０Ｍの横断部ＣＲの高さより高くすることができる。これにより、体液をより吸収体の幅方向に流しやすくすることができ、長手方向端部に流れるのを防止し後ろ漏れや前漏れを防止することができる。
【００３２】
また、横断部ＣＲの幅は、前身頃１０Ｆから後身頃１０Ｒまで一定である必要はなく、例えば、その一方または双方において、中間部１０Ｍの形成幅よりも広めに形成しても良い。この場合には、着用感を損なうことなく、体液の流れをより効果的に制限して横方向に流すことができる。
【００３３】
このように、本実施形態の使い捨ておむつ１０においては、着用感を損なうことなく、曲げ溝Ｄ１内に流れ込む体液が低位に向かって高速に流れようとするのや、曲げ溝Ｄ１に沿って体液が流れようとするのを、横断部ＣＲ毎に抑制して吸収体１１に分散吸収させることができる。
【００３４】
したがって、吸収体１１の偏った位置で体液を吸収させてしまうことなく、吸収体１１の広範囲で体液を広げて効率よく吸収させることのできる、快適に着用可能な高品質の使い捨ておむつ１０を提供することができる。
【００３５】
ここで、上述実施形態の第１の他の態様としては、図８に示すように、吸収体１１のコアラップ１２とトップシート１３との接合範囲ＪＳ２は、成形溝Ｄ２の低位に向かう延在方向Ｄｅに対して、使い捨ておむつ１０の中間部１０Ｍの左右両側辺１０Ｍｓ（開口１０Ｌｒ、１０Ｌｌ）の間に向かって降下する非接合範囲ＪＵ２を形成するように設定されている。このため、この非接合範囲ＪＵ２に形成される横断部ＣＲ２は、成形溝Ｄ２に対して斜交する形態で形成されており、その成形溝２内を流動する体液を使い捨ておむつ１０の側辺１０Ｍｓ側よりも大面積の幅方向中央方向Ｄｍに向かわせることができ、上述実施形態よりも信頼性高く吸収体１１の広範囲で体液を広げて吸収させることができる。
【００３６】
また、上述実施形態の第２の他の態様としては、図９に示すように、吸収体１１（コアラップ１２）の成形溝Ｄ２内に進入されて接着されるトップシート１３は、幅方向に対して、例えば、使い捨ておむつ１０の中間部１０Ｍの左右両側辺１０Ｍｓ（開口１０Ｌｒ、１０Ｌｌ）側の側壁Ｄ２ｓｉ側の浸透率が高くなるように、側辺１０Ｍｓ側の側壁Ｄ２ｓｏよりも構成繊維の密度が小さくなるように作製されている。これにより、成形溝Ｄ２を流れる体液を側壁Ｄ２ｓｉ側より側壁Ｄ２ｓｉ側に多く流すことができる。
【００３７】
他の実施形態として、成形溝Ｄ２を吸収体の中央に設ける場合は、側壁Ｄ２ｓの底部に位置するトップシート１３の構成密度を側壁Ｄ２ｓｏおよびＤ２ｓｉより密にすることで、溝の延在方向に比べ溝の幅方向に対して体液を流しやすくすることができる。また、成形溝Ｄ２を中央以外に設けた場合は、体液の横漏れを防止するために、吸収体の幅方向の内側に体液が流れやすくするようにトップシート１３の構成繊維の密度を調整することができる。さらに、成形溝Ｄ２を複数本設けてもよく、流したい方向にトップシート１３の構成繊維の密度を調整することができる。
【００３８】
このように、成形溝Ｄ２内を流動する体液は、使い捨ておむつ１０の側辺１０Ｍｓ側よりも幅方向中央方向Ｄｍに効果的に浸透させることができ、上述実施形態よりも信頼性高く吸収体１１の広範囲で体液を広げて吸収させることができる。
【００３９】
さらに、上述実施形態の第３の他の態様としては、図１０に示すように、吸収体１１の成形溝Ｄ２内に位置するトップシート１３には、その成形溝Ｄ２の長手方向Ｄｅと平行の複数本の折り目を付き易くする加工、例えば、ミシン目Ｐｆｒ１〜４が形成されており、その中央のミシン目Ｐｆｒ２、３間が傾斜面となるようにミシン目Ｐｆｒ１との間よりもミシン目Ｐｆｒ４との間の間隔が広めになるように作製されている。この場合には、図中矢印で示すように、そのミシン目Ｐｆｒ２、３間の傾斜面により体液を流動させて流れ込ませることができ、その流れ込む体液を横断部ＣＲで規制してコントロールすることができる。
【００４０】
さらに、上述実施形態では、吸収体１１に底面Ｄ２ｂを有する成形溝Ｄ２を形成する場合を一例として説明するが、これに限るものではない。例えば、図示することは省略するが、肌当接と肌非当接との表裏間を貫通する形状を凹部として作製して、コアラップ１２とトップシート１３により表裏間を貫通状態にならないように覆うようにも良い。この場合にも、その貫通凹部を横断する横断部で体液の流動速度を抑制しつつ、その体液を側壁側から吸収させることを実現することができる。
【００４１】
また、上述実施形態では、トップシート１３が１枚で構成されるものを一例として説明するが、これに限るものではなく、２枚以上で構成させる場合にも適用することができる。例えば、トップシート１３が２枚以上で構成される場合は、２枚で横断部ＣＲを形成してもよいし、１枚を吸収体に沿うように形成しもう１枚で横断部ＣＲを形成してもよい。
【００４２】
また、上述実施形態では、吸収体１１の長手方向Ｄｅに２本の曲げ溝Ｄ１が形成される場合を一例にして説明するが、これに限るものではなく、１本や３本以上形成される場合にも、また、長手方向Ｄｅに交差する短尺方向に溝が形成される形態にも適用することができる。
【００４３】
なお、上述実施形態では、左右一対のファスニングテープ２２で剥離自在に止める、所謂、テープタイプに適用する場合を一例にして説明するが、これに限るものではなく、例えば、テープを使用しないパンツタイプのオムツや、下着との間に差し込むパッドにも適用することができることは言うまでもない。
【００４４】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【符号の説明】
【００４５】
１０……使い捨ておむつ
１０Ｆ……前身頃
１０Ｍ……中間部
１０Ｒ……後身頃
１１……吸収体
１１ｈ……吸収性本体
１２……コアラップ
１３……トップシート
１８……カバーシート
ＣＲ、ＣＲ２……横断部
Ｄ１……曲げ溝
Ｄ２……成形溝
Ｄ２ｂ……底面
Ｄ２ｓ、Ｄ２ｓｉ、Ｄ２ｓｏ……側壁
ＪＳ、ＪＳ２……接合範囲
ＪＵ、ＪＵ２……非接合範囲
【図１】
2020014663.tif 000003
【図２】
2020014663.tif 000004
【図３】
2020014663.tif 000005
【図４】
2020014663.tif 000006
【図５】
2020014663.tif 000007
【図６】
2020014663.tif 000008
【図７】
2020014663.tif 000009
【図８】
2020014663.tif 000010
【図９】
2020014663.tif 000011
【図１０】
2020014663.tif 000012